(57)【特許請求の範囲】
【請求項１】
リング状に形成されたホルダと、
前記ホルダの内側に取付部材で螺合された複数の取付板と、
前記ホルダの外側に径方向に線状に対向して延設された二つの把手と、を有してなり、
前記複数の取付板は、前記ホルダ内に挿通したケーブルとの距離がそれぞれ調整可能であり、当該ケーブルと当接する部分にはゴム製のスペーサが取り付けられると共に前記ホルダに等角度で配設され、そのうちの少なくとも１個の取付板はノブによって当該取付板と前記ケーブルとの距離を調整可能とされていることを特徴とするケーブル撚り戻し工具。
【請求項２】
前記複数の取付板は、３個であることを特徴とする請求項１に記載のケーブル撚り戻し工具。
【請求項３】
前記ホルダは、上部ホルダと下部ホルダとからなり、
上部ホルダは下部ホルダに対して開口可能に形成されていることを特徴とする請求項１または請求項２に記載のケーブル撚り戻し工具。
【発明の詳細な説明】
【０００１】
【発明の属する技術分野】
本発明は、撚り合わせたケーブの撚りを一旦緩めることのできるケーブル撚り戻し工具に関する。
【０００２】
【従来の技術】
撚りケーブルを地中や建築物に設置した管路内に挿通して使用する場合、管路の開口端部、すなわち管路口において防水処理を施す必要がある。この防水処理は実公昭５６−３８８９４号公報で示すように防水装置を嵌着して行うが、この防水装置を嵌着するためには、一旦ケーブルの撚りを戻すために撚り戻し工具が使用されていた。
【０００３】
このケーブル撚り戻し工具として、実開昭６１−１５６４１８号公報に示す
ようなケーブル撚り戻し工具があった。
このケーブル撚り戻し工具は、図４に示すように、撚りケーブルを嵌着する曲面部２２の左右両側から平坦部２３を延設し、両平坦部２３，２３に通孔２４，２４，を開設してなる挟持片２１と、両挟持片２１，２１の両通孔２４，２４に一連に挿通可能な操作杆２５とからなる構成としたものである。
【０００４】
【発明が解決しようとする課題】
しかしながら、上述した従来のケーブル撚り戻し工具においては、部品点数が少なく、操作性が良いものの、挟持片２１の内径が予め定まっており、この挟持片２１と操作杆２５で形成される断面の大きさは必然的に限定されていた。
従って、このケーブル撚り戻し工具で撚り戻し作業が可能なケーブルの太さは一種類となってしまい、多くの種類のあるケーブルの撚り戻し作業には甚だ不都合であり、電線ケーブルの太さに応じた工具を多数準備しなければならないという問題が生じていた。
【０００５】
本発明は、上述した従来の問題点に鑑みなされたもので、１個のケーブル撚り戻し工具で様々な太さのケーブルを撚り戻しすことのできる使い勝手に優れたケーブル撚り戻し工具を提供するものである。
【０００６】
【課題を解決するための手段】
上記課題を達成するために本発明は、リング状に形成されたホルダと、ホルダの内側に取付部材で螺合された複数の取付板と、ホルダの外側に径方向に線状に対向して延設された二つの把手とを有してなり、複数の取付板は、ホルダ内に挿通したケーブルとの距離がそれぞれ調整可能であり、ケーブルと当接する部分にはゴム製のスペーサが取り付けられると共にホルダに等角度で配設され、そのうちの少なくとも１個の取付板はノブによって取付板とケーブルとの距離を調整可能な構成としたものである。
【０００７】
また、この発明は、前記複数の取付板を３個とした構成によっても達成できる。
上記構成によれば、径方向に調整可能な取付板により３個の取付板で形成する三角形の空間の大きさを調整できるので、１個の工具で様々な太さのケーブルを挟持して撚り戻しすることが可能となる。
【０００８】
また、前記ホルダは、上部ホルダと下部ホルダとからなり、上部ホルダは下部ホルダに対して開口可能に形成されたものである。
上記構成によれば、作業を行うケーブルがホルダに挿通できない場合等に上部ホルダを開いてケーブルをホルダ内にセットすることができ、様々なケーブルに対応できると共に作業能率の向上を図ることが可能となる。
【０００９】
【発明の実施の形態】
本発明に係るケーブル撚り戻し工具を図に基づいて詳細に説明する。
図１は、本発明のケーブル撚り戻し工具を示す一部破断の正面図、図２は、図１のケーブル撚り戻し工具のホルダを示す正面図、図３は、図１のケーブル撚り戻し工具によるケーブルの撚り戻し作業を示す説明図である。
【００１０】
本発明のケーブル撚り戻し工具は、図１に示すように、リング状のホルダＨと、このホルダＨの内側に螺合された３個の矩形状の取付板３，４，５と、このホルダ１の外側に径方向に線状に延設された把手６，７とから形成され、前記３個の取付板３，４，５は、ホルダ１に等角度の１２０度で配設されている。そしてこの取付板３，４，５の中で１個の取付板３に取り付けられた取付部材である取付ボルト８の先端にはノブ９が取り付けられ、このノブ９を回転することにより前記取付板３と前記ホルダＨの中心との距離が調整可能となっているものである。取付部材はボルトに限定されるものではない。
【００１１】
ホルダＨは、鋼鉄やステンレス、或いは真鍮等の金属や高分子化合物の天然または合成樹脂で形成されており、全体形状はリング状に形成されている。このホルダＨには等角度（１２０°）で３箇所の螺子孔が設けられ、取付板３，４，５が取付ボルト８，１２，１３で螺合されている。そして、このホルダＨの対角の位置には図示しない螺子孔が設けられ把手６，７が螺挿されるものである。かつ、開口可能なように形成されている。
【００１２】
また、このホルダＨは、図２に示すように、上部ホルダ１と下部ホルダ２に分離可能に構成されており、この上部ホルダ１の一端が固定ピン１０により支承され、他端が開口できるようになっている。この開口部は、ヒンジピン１１によりピン着されて閉口されるもので、取付板３，４，５を取り付ける場合に便宜を図れるようになっている。そして、ケーブルＣに取付ける場合は、この開口部を開いて何処の位置でも取付ができる。
【００１３】
また、取付板３，４，５は、図１に示すように、それぞれ取付ボルト８，１２，１３に取り付けられホルダＨに螺合されるものである。この取付板３，４，５の先端側のケーブルＣに当接する部分にはゴム製のスペーサ３ａ，４ａ，５ａが取り付けられ、ケーブルＣに損傷を与えず圧接できるようになっている。取付板３，４，５とそれぞれの取付ボルト８，１２，１３の取り付けは、それぞれの取付ボルト８，１２，１３が自在に回転できるように、取付ボルト８，１２，１３の先端がボール状に形成されている。
【００１４】
これらの取付板３，４，５のうち１個の取付板３は、取付ボルト８が延長され、先端部にノブ９が取り付けられている。このノブ９は、ケーブルＣを締め付ける場合に手で回すものなのである。
また、取付板４，５の取付ボルト１２，１３の先端側には、固定用のナット１４，１５が取り付けられホルダＨに固定されている。この取付板４，５は、通常の場合は固定されているが、ケーブルＣの太さにより位置を調整することも可能となっている。この場合、取付部材がボルトやナットによらないものでもよい。
【００１５】
このように構成されたケーブル撚り戻し工具を使用してケーブルの撚り戻し作業を行う方法を図３に基づいて説明する。
先ず、図３（ａ）に示すように、ノブ９を回して取付板３を上方に引き上げて、ケーブルＣがホルダＨ内に挿通できるような広さにしておき、ケーブルＣをホルダＨ内にセットする。
次いで、図３（ｂ）に示すように、ノブ９を回して取付板３を下方に下げ、取付板４，５と共にケーブルＣを嵌着できる位置まで下げる。そして、把手６，７を両手で持ちケーブルＣの撚りと逆方向へ回転力を加える。
【００１６】
この作業により、ホルダＨが回動するのでケーブルＣの撚りが解けたならば、防水処理を行い、図３（ａ）に示すように、ノブ９を回して取付板３を上方に引き上げてケーブルＣを加圧状態から解放する。また、ケーブルＣをホルダＨから引き抜くことができない場合は、ヒンジピン１１を抜いて上部ホルダを開口し、ケーブルＣをホルダＨから外すことも可能である。
【００１７】
上述のように構成された、ケーブル撚り戻し工具は、ノブ９を回して取付板３の位置を様々な位置に置くことができるので、ケーブルＣの太さが様々あっても何ら問題なく作業ができるものである。
【００１８】
なお、本発明は上述した実施の形態に限定されるものではなく、特許請求の範囲内にて様々な態様が可能なことは勿論である。
例えば、複数の取付板は３個に限定されるものではなく、４個以上でもかまわないことは勿論である。さらに、調整可能な取付板は１個だけでなく２個以上あってもかまわないことは勿論である。
【００１９】
【発明の効果】
以上説明したように、本発明のケーブル撚り戻し工具は、リング状のホルダと、前記ホルダの内側に螺合された矩形状の複数の取付板と、前記ホルダの外側に対角状に延設された把手と、からなり、前記複数の取付板は、前記ホルダに等角度で配設されると共に少なくとも１個の取付板に螺合のねじと一体のノブが取り付けられ、前記ノブの回転により前記取付板と前記ホルダの中心との距離が調整可能としたことにより、径方向に調整可能な取付板により複数の取付板で形成する空間の大きさを調整できるので、一個の工具で様々な太さのケーブルを挟持して撚り戻しすことができるという優れた効果を奏するものである。
【００２０】
また、前記ホルダは、上部ホルダと下部ホルダとからなり、上部ホルダは下部ホルダに対して開口可能に形成されたことにより、作業を行うケーブルがホルダに挿通できない場合等に上部ホルダを開いてケーブルをホルダ内にセットすることができ、様々なケーブルに対応できると共に作業能率の向上を図ることができるという効果を奏する。
【図面の簡単な説明】
【図１】本発明のケーブル撚り戻し工具を示す一部破断の正面図である。
【図２】図１のケーブル撚り戻し工具のホルダを示す正面図である。
【図３】図１のケーブル撚り戻し工具によるケーブルの撚り戻し作業を示す説明図であり、
（ａ）は準備状態を示し、
（ｂ）は作業状態を示すものである。
【図４】従来のケーブル撚り戻し工具を示す斜視図である。
【符号の説明】
Ｈ      ホルダ
Ｃ      ケーブル
１      上部ホルダ
２      下部ホルダ
３      取付板
４      取付板
５      取付板
６            把手
７            把手
８            取付ボルト
９            ノブ
１０            固定ピン
１１            ヒンジピン
１２            取付ボルト
１３            取付ボルト
１４            ナット
１５            ナット
【図１】
0004187378.tif 000002
【図２】
0004187378.tif 000003
【図３】
0004187378.tif 000004
【図４】
0004187378.tif 000005